(57)【要約】      （修正有）【課題】テーパーピンの固定を確実にし、コンクリート充填時の振動によってペーパーピンが抜け出ることがないと共に、ペーパーピンを抜き取り時の固化コンクリートとの離脱を容易とするコンクリート成型品の吊下用孔形成装置を提供する。【解決手段】型枠側板２に吊下用孔を形成するためのピン挿入孔３を設ける。このピン挿入孔３に関係して型枠側板２の外側に、上端より形成した切欠凹部８１を有するハンドル係止板８を突設する。このハンドル係止板８に切欠部凹部８１の下方へ付勢する反転防止バネ９を付設し、吊下用孔を形成するテーパーピン４を固定するため、前記切欠凹部８１に回転して嵌入したテーパーピン基部の横設ハンドルを反転防止バネ４３で下方へ付勢する。【選択図】図１
0003141130.tif 000002
【実用新案登録請求の範囲】
【請求項１】
型枠側板に吊下用孔を形成するためのピン挿入孔が設けられ、このピン挿入孔に関係して型枠側板の外側に、上端より形成した切欠凹部を有するハンドル係止板を突設し、このハンドル係止板に切欠凹部の下方へ付勢する反転防止バネを付設し、吊下用孔を形成するテーパーピンを固定するため、前記切欠凹部に回転して嵌入したテーパーピン基部の横設ハンドルを反転防止バネで下方へ付勢することを特徴とするコンクリート成型品の吊下用孔形成装置。
【請求項２】
ピン挿入孔に関係して本体型枠板の外側にテーパーピンのガイド孔を有するガイド部材を並設したことを特徴とする請求項１記載のコンクリート成型品の吊下用孔形成装置。
【請求項３】
切欠凹部が上端より下方へ溝を形成していることを特徴とする請求項１又は２記載のコンクリート成型品の吊下用孔形成装置。
【請求項４】
切欠凹部の溝が型枠側へ傾斜していることを特徴とする請求項３記載のコンクリート成型品の吊下用孔形成装置。
【請求項５】
反転防止バネが線体で形成され、固定された基部から湾曲部を形成し、先部が切欠凹部に沿って上下方向に延伸し、先部の中間に上下に傾斜部を形成した頂部を形成し、その頂部が切欠凹部と重なるように位置していることを特徴とする請求項１乃至４のいずれかに記載のコンクリート成型品の吊下用孔形成装置。
【考案の詳細な説明】
【技術分野】
【０００１】
本考案は例えばＵ字型溝のようなコンクリート製品であって、型枠を用いてコンクリート成型する場合の型枠の一部装置に関するものであり、詳しくはコンクリート製品に吊下用の孔を形成する装置に関するものである。
【背景技術】
【０００２】
コンクリート製品は重量があるため、型から取り出す場合や、その運搬や使用時の位置決めには吊り下げ重機を用いて行っているのである。
そのため、直接コンクリート製品に把持具等を当てて吊り上げると製品の破損や傷がつき品質に問題が生じる。
そこで、コンクリート製品の成型時に予め適宜場所に孔（穴）を空けておき、この孔に腕杆等を嵌挿し、この腕杆を把持具等で把持して吊り上げ移動する方法を採っているのである。
【０００３】
この様な孔をコンクリート製品に形成するには、成型型枠の型枠板にピン挿入孔を穿ち、このピン挿入孔へピンを型枠内に挿通し、コンクリートを充填固化した後、ピンを抜き取る方法及び装置により行っているのである。
しかし、問題点としてピンの固定手段、コンクリート充填時の振動によってピンが抜け出ることの阻止、及びピンを抜き取り時の固化コンクリートとの離脱の容易化が挙げられている。
【考案の開示】
【考案が解決しようとする課題】
【０００４】
そこで、ピンの位置固定と抜け止め手段として、従来は、ピンの基部に略直角にハンドルを横設して全体をＬ型或いはＴ型の形状としたピンを用い、このピンを型枠板のピン挿入孔から挿入した後、ピンを回転して略水平位置としたハンドルをハンドル係止部材で受け止め位置決めすると共に、ハンドルを係止する適宜手段で固定しているのである。
また、ピンが型枠内に挿入される先部をテーパー状にすることにより、固化したコンクリートからハンドルを逆回転して戻し、固化したコンクリートから離脱させて抜き易くしているのである。
【０００５】
しかし、ハンドルを適宜係止しただけでは、積極的に振動させてコンクリートの充填を行う振動に耐えられずに、ハンドルが回転して戻って係止が外れ、ピンをテーパーとしたことで振動が抜け出る方向へ作用し、充分に目的を達成できなかったのである。
【０００６】
斯かる状況に鑑み、本考案はテーパーピンの固定を確実にし、コンクリート充填時の振動によってペーパーピンが抜け出ることがないと共に、ペーパーピンを抜き取り時の固化コンクリートとの離脱を容易とするコンクリート成型品の吊下用孔形成装置を提供せんとするものである。
【課題を解決するための手段】
【０００７】
本考案の請求項１に係るコンクリート成型品の吊下用孔形成装置は、型枠側板に吊下用孔を形成するためのピン挿入孔が設けられ、このピン挿入孔に関係して型枠側板の外側に、上端より形成した切欠凹部を有するハンドル係止板を突設し、このハンドル係止板に切欠凹部の下方へ付勢する反転防止バネを付設し、吊下用孔を形成するテーパーピンを固定するため、前記切欠凹部に回転して嵌入したテーパーピン基部の横設ハンドルを反転防止バネで下方へ付勢することを特徴とするものである。
【０００８】
また、請求項２の考案は、請求項１において、ピン挿入孔に関係して型枠側板の外側にテーパーピンのガイド孔を有するガイド部材を並設したことを特徴とするものである。
【０００９】
更に、請求項３の考案は、請求項１又は２において、切欠凹部が上端より下方へ溝を形成していることを特徴とし、請求項４の考案は、請求項３において、切欠凹部の溝が型枠側へ傾斜していることを特徴とするものである。
【００１０】
そして、請求項５の考案は、請求項１乃至４において、反転防止バネが線体で形成され、固定された基部から湾曲部を形成し、先部が切欠凹部に沿って上下方向に延伸し、先部の中間に上下に傾斜部を形成した頂部を形成し、その頂部が切欠凹部と重なるように位置していることを特徴とするものである。
【考案の効果】
【００１１】
請求項１の考案は、ピン挿入孔に関係して型枠側板の外側に、上端より形成した切欠凹部を有するハンドル係止板を突設したため、テーパーピン基部の横設ハンドルを回転して切欠凹部に嵌入して簡易に係止固定できる効果がある。
また、このハンドル係止板に切欠凹部の下方へ反転防止バネで横設ハンドルを付勢するものであるから、振動に対しても反転して抜け出るのを防止できる効果を発揮するものである。
【００１２】
請求項２の考案は、請求項１の効果に加え、ピン挿入孔に関係して型枠側板の外側にテーパーピンのガイド孔を有するガイド部材を並設したものであるから、ピン挿入孔とガイド孔の二点でテーパーピンを挿入方向を規制し支持するものとなり、確実にテーパーピンの挿入位置決めを行える更なる効果を有するものである。
【００１３】
請求項３の考案は、請求項１又は２の効果に加え、切欠凹部が上端より下方へ溝を形成しているため、横設ハンドルと切欠凹部との係止を確実にし、強化する効果を有るものとなる。
請求項４の考案は、切欠凹部の溝が型枠側へ傾斜させたため、コンクリートの固化後に反転してテーパーピンを抜き取る時に、テーパーピンが回転しながら外側に移動することになって容易にコンクリートと遊離させる効果を発揮するのである。
【００１４】
請求項５の考案は、請求項１乃至４の効果に加え、反転防止バネが線体で形成され、固定された基部から湾曲部を形成し、先部が切欠凹部に沿って上下方向に延伸しているため、先部がバネの作用を奏するものとなり、先部の中間に上下に傾斜部を形成した頂部を形成し、その頂部が切欠凹部と重なるように位置しているため、切欠凹部へ回転して挿入或いは脱しようとする横設ハンドルに頂部が揺動して通過可能となり、付勢や解除のための特別の操作が必要とならず、横設ハンドルの回転操作だけで行える効果を有するものである。
【考案を実施するための最良の形態】
【００１５】
次に本考案の実施の形態を図面に基づいて説明する。
図１は本考案に一実施の形態を示す型枠の一部平面図、図２は同正面図である。
コンクリート型枠１の側板２の適宜位置にピン挿入孔３が形成されている。
このピン挿入孔３は、成型されるコンクリート製品を吊り下げるときに使用する孔（穴）を形成するためのピンを挿入するためのものである。
【００１６】
ピン挿入孔３に挿入するピンは型枠１と同様の金属製でテーパーピン４が相応しく、型枠１内に突入する孔形成部のピン本体４１の先部がテーパー４２を成し、テーパー４２の途中でピン挿入孔３に内接して嵌合し、充填するコンクリート５が漏れ出ないように嵌入するものである。
一方、ピン本体４１の基端にはピン本体４１に対して９０度横方向に横設ハンドル４３が一体に形成されている。
図面の実施例では全体がＬ字状となっているが、Ｔ字状としてもよい。
【００１７】
また、ピン挿入孔３に対向してガイド孔６を有するガイド部材７が  側板２の外側に並行に設置され、ガイド孔６を介してピン挿入孔３へ一直線にピン本体４１が型枠１内に挿通されるように位置決めされている。
更に、ガイド部材７の型枠側部と連設しる脚部７１に、ハンドル係止板８が一体に突設してあり、型枠１内に挿入されるピン本体４１とその板面が並行に配置されている。
【００１８】
ハンドル係止板８には、切欠凹部８１が穿設してある。
切欠凹部８１はハンドル係止板８の上端より形成され、テーパーピン４がガイド孔６を介してピン挿入孔３から型枠１内に挿通された後、横設ハンドル４３をハンドル係止板８側へ回転させると、横設ハンドル４３が丁度嵌入して係止される位置に設けられている。
切欠凹部８１への嵌入状態は、少なくとも横設ハンドル４３の直径の2分の１以上が入り込んで確実に係止できるようにすることが好ましい。
そして、図面に示すように切欠凹部８１を溝状に形成して完全に横設ハンドル４３を溝内に嵌入してしまうものとしてもよい。
【００１９】
また、切欠凹部８１を溝状にすると共に、型枠１側へ下方を傾斜させて形成すれば、横設ハンドル４３が回転しながら切欠凹部８１へ嵌入するにしたがって型枠１側へ移動するため、ピン本体４１のテーパー部４２がピン挿入孔３と隙間なく内接する。
一方、コンクリート５が固化養生した後、テーパーピン４を反転して引き抜く時は、逆にテーパーピン４が回転しながら型枠１の外方に移動することになるため、埋設しているテーパーピン先部を容易にコンクリートと遊離させる作用を奏するものとなる。
【００２０】
さらに、ハンドル係止板８には、反転防止バネ９が付設してある。
反転防止バネ９はハンドル係止板８に沿って設けられ、本体が線体で形成され、固定された基部から湾曲部９１を形成し、先部９２が切欠凹部に沿って上下方向に延伸し、先部の中間に上下に傾斜部９３、９４を形成した頂部９５を形成し、その頂部９５が切欠凹部８１と重なるように位置している。
【００２１】
即ち、切欠凹部８１へ回転して挿入或いは脱しようとする横設ハンドル４３が、切欠凹部８１と重なる頂部９５の上下の傾斜部９３、９４を付勢力に抗して当圧し、頂部９５が押圧されて揺動するため、横設ハンドル４３の通過が可能となり、付勢や解除のための特別の操作を要せずに、横設ハンドルの回転操作だけで嵌入・離脱を行えるのである。
【００２２】
また、頂部９５を通過した横設ハンドル４３は復帰した頂部９５の傾斜部９４（図面では）に下方へ押圧付勢されて、容易に切欠凹部８１から脱出することが出来ないものと成る。
したがって、反転防止バネ９の付勢力をコンクリート５の充填時の振動に耐えうるように設計しておけば良い。
【００２３】
図３は反転防止バネ９の他の実施の形態を示す正面図であり、切欠凹部の下部に沿って付設した上部に開口部９６を有する略円形の係止部９７と、開口部９６から両端部が両側に開いたガイド部９８から成る。
ガイド部９８へ挿入された横設ハンドルが、開口部９６をバネ９の付勢力に抗してこじ開け係止部９７に挿通して把持され、横設ハンドルの切欠凹部からの脱出を防止するものである。
【図面の簡単な説明】
【００２４】
【図１】本考案の一実施の形態を示す型枠の一部平面図である。
【図２】図１の正面図である。
【図３】反転防止バネの他の実施の形態を示す正面図である。
【符号の説明】
【００２５】
１        型枠
２        側板
３        ピン挿入孔
４        テーパーピン
４３        横設ハンドル
６        ガイド孔
７        ガイド部材
８        ハンドル係止板
８１        切欠凹部
９        反転防止バネ
９１        湾曲部
９３、９４  傾斜部
９５        頂部
【図１】
0003141130.tif 000003
【図２】
0003141130.tif 000004
【図３】
0003141130.tif 000005